(57)【要約】【課題】インタラクティブ性の高い投射型映像表示装置を提供する。【解決手段】投射型映像表示装置１００は、サーバー１０に１つ以上のアクセスを行うことにより得られるサーバー画像を選択し、選択した該サーバー画像を表示する。操作部８ａは、選択したサーバー画像Ｐ１を操作する。【選択図】図１
2014048386.tif 000002
【特許請求の範囲】
【請求項１】
ネットワークに接続されたサーバーと通信を行う投射型映像表示装置であって、
前記ネットワークを介して前記サーバーと接続するネットワーク接続部と、
前記サーバーにアクセスを行うアクセスデバイス部と、を備え、
前記投射型映像表示装置は、前記サーバーに１つ以上のアクセスを行うことにより得られる画像であるサーバー画像を選択し、選択した該サーバー画像を表示し、
前記投射型映像表示装置は、さらに、
選択した前記サーバー画像を操作する操作部を備える
投射型映像表示装置。
【請求項２】
前記投射型映像表示装置には、前記アクセスデバイス部が複数設けられ、
各前記アクセスデバイス部は、異なる各ユーザーに対応する識別情報により独立して前記サーバーにアクセスを行い、
前記投射型映像表示装置は、複数の前記アクセスデバイス部が前記サーバーにアクセスを行うことにより得られる複数の前記サーバー画像を同時に表示する
請求項１に記載の投射型映像表示装置。
【請求項３】
前記投射型映像表示装置には、前記アクセスデバイス部の数と同じ数の前記操作部が設けられ、
前記複数のアクセスデバイス部は、それぞれ、複数の前記操作部に関連付けられ、
各前記操作部は、同時に、該操作部に関連付けられた前記アクセスデバイス部が前記サーバーにアクセスを行うことにより得られる前記サーバー画像を操作する
請求項２に記載の投射型映像表示装置。
【請求項４】
前記投射型映像表示装置は、さらに、
各前記アクセスデバイス部が行う前記サーバーへのアクセスにより得られる前記サーバー画像を独立して出力する画像出力部を備える
請求項２または３に記載の投射型映像表示装置。
【請求項５】
前記投射型映像表示装置は、さらに、
前記複数のサーバー画像の少なくとも１つを示す表示画像を操作する別の操作部を備え、
前記投射型映像表示装置は、前記表示画像において前記複数のサーバー画像を同時に表示する処理、または、前記表示画像において前記複数のサーバー画像のいずれかを表示する処理を行い、
前記別の操作部は、前記表示画像に表示された前記サーバー画像を操作する
請求項４に記載の投射型映像表示装置。
【請求項６】
ネットワークに接続されたサーバーと通信を行う投射型映像表示装置が行う画像制御方法であって、
前記ネットワークを介して前記サーバーと接続するステップと、
前記サーバーにアクセスを行うステップと、
前記サーバーに１つ以上のアクセスを行うことにより得られる画像であるサーバー画像を選択するステップと、
選択された前記サーバー画像を表示するステップと、
選択された前記サーバー画像を操作するステップと、を含む
画像制御方法。
【発明の詳細な説明】
【技術分野】
【０００１】
本発明は、サーバーへの接続機能を備えた投射型映像表示装置および画像制御方法に関する。
【背景技術】
【０００２】
従来、プロジェクター（以下、投射型映像表示装置ともいう）に接続されたＰＣ（Personal computer）の画像の出力といえば、ＰＣの入力端子に直接アナログ接続した場合の画像の出力や、ＨＤＭＩ（High-Definition Multimedia Interface）等のデジタルインターフェースで接続した場合の画像の出力が主流であった。しかし、昨今のネットワークの普及により、プロジェクターに対するネットワーク接続の主目的は、遠隔操作や制御管理等のシステム管理から、映像やＰＣの画像転送等になりつつある。
【０００３】
特許文献１には、クライアント機能を備えたプロジェクターを利用してサーバーに接続する技術（以下、従来技術Ａともいう）が開示されている。従来技術Ａでは、具体的には、プロジェクター（投射型映像表示装置）に接続されたキーボード等のユーザーインターフェースからサーバーにログインする。そして、従来技術Ａでは、当該サーバーが提供する画像を投射（表示）し、ユーザーインターフェースを用いて、当該画像の操作を可能とする。
【先行技術文献】
【特許文献】
【０００４】
【特許文献１】特開２００９−１８１５８３号公報
【発明の概要】
【発明が解決しようとする課題】
【０００５】
しかしながら、従来技術Ａでは、以下のような問題がある。
【０００６】
従来技術Ａでは、クライアント機能を備えたプロジェクター（投射型映像表示装置）は、一人のユーザーの操作によりサーバーにログインし、サーバーが提供する画像（サーバー接続画像）を表示する。すなわち、従来技術Ａでは、サーバーへのログイン（アクセス）時には、プロジェクター（投射型映像表示装置）は、サーバーから送られた画像を受信するのみで、プロジェクターが、画像を能動的に選択できない。そのため、従来技術Ａを利用する投射型映像表示装置は、インタラクティブ性が低いという問題点があった。
【０００７】
本発明は、このような問題を解決するためになされたものであり、インタラクティブ性の高い投射型映像表示装置等を提供することを目的とする。
【課題を解決するための手段】
【０００８】
上記目的を達成するために、本発明の一態様に係る投射型映像表示装置は、ネットワークに接続されたサーバーと通信を行う。前記投射型映像表示装置は、前記ネットワークを介して前記サーバーと接続するネットワーク接続部と、前記サーバーにアクセスを行うアクセスデバイス部と、を備え、前記投射型映像表示装置は、前記サーバーに１つ以上のアクセスを行うことにより得られる画像であるサーバー画像を選択し、選択した該サーバー画像を表示し、前記投射型映像表示装置は、さらに、選択した前記サーバー画像を操作する操作部を備える。
【発明の効果】
【０００９】
本発明によれば、前記投射型映像表示装置は、前記サーバーに１つ以上のアクセスを行うことにより得られる画像であるサーバー画像を選択し、選択した該サーバー画像を表示する。操作部は、選択した前記サーバー画像を操作する。
【００１０】
これにより、インタラクティブ性の高い投射型映像表示装置を提供することができる。
【図面の簡単な説明】
【００１１】
【図１】本発明の実施の形態１に係る投射型映像表示装置の概略構成を示すブロック図である。
【図２】ネットワーク接続部およびアクセスデバイス部の構成を示すブロック図である。
【図３】画像制御処理のフローチャートである。
【図４】本発明の実施の形態２に係る投射型映像表示装置の概略構成を示すブロック図である。
【図５】本発明の実施の形態３に係る投射型映像表示装置の概略構成を示すブロック図である。
【図６】無線通信部を説明するための図である。
【図７】本発明の実施の形態３の変形例に係る投射型映像表示装置の主要構成のみを示すブロック図である。
【図８】本発明の実施の形態４に係る投射型映像表示装置の概略構成を示すブロック図である。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
＜実施の形態１＞
図１は、本発明の実施の形態１に係る投射型映像表示装置１００の概略構成を示すブロック図である。投射型映像表示装置１００は、例えば、フロント投射型プロジェクターである。なお、投射型映像表示装置１００は、フロント投射型プロジェクターに限定されず、例えば、背面投影型プロジェクターであってもよい。
【００１４】
投射型映像表示装置１００には、ＤＶＤプレーヤー１０１およびＰＣ１０２が接続される。ＤＶＤプレーヤー１０１およびＰＣ１０２は、画像を示す映像信号を、投射型映像表示装置１００へ送信する。
【００１５】
また、投射型映像表示装置１００は、ネットワーク網であるネットワーク９を介してサーバー１０に接続される。投射型映像表示装置１００は、ネットワーク９に接続されたサーバー１０と通信を行う。ネットワーク９は、例えばＬＡＮ（Local Area Network）である。
【００１６】
サーバー１０は、複数のユーザーが同時にログイン可能なサーバー用のＯＳ（Operating System）が搭載されたコンピューターである。
【００１７】
投射型映像表示装置１００は、ネットワーク接続部１と、アクセスデバイス部２ａ，２ｂと、入力セレクタ４と、画像信号処理部５と、画像投射部６と、操作情報受信部７ａと、操作部８ａとを備える。
【００１８】
ネットワーク接続部１は、例えば、ＬＡＮ等の規格に基づくネットワークインターフェースである。ネットワーク接続部１は、接続された外部の機器と物理接続を行う。具体的には、ネットワーク接続部１は、ネットワーク９を介してサーバー１０と接続する。
【００１９】
アクセスデバイス部２ａ，２ｂの各々は、アクセスデバイスの機能を有する構成要素である。アクセスデバイス部２ａ，２ｂの各々は、独立して、かつ、同時に、動作することができる。アクセスデバイス部２ａ，２ｂは、ネットワーク通信処理、信号処理、画像生成処理、操作入力変換処理等を行う。アクセスデバイス部２ａ，２ｂは、画像生成処理により生成した画像を、入力セレクタ４へ送信する。
【００２０】
入力セレクタ４は、アクセスデバイス部２ａ，２ｂから送信される画像、ＤＶＤプレーヤー１０１およびＰＣ１０２から送信される映像信号が示す画像のうち、選択的に１つの画像を画像信号処理部５へ送信（出力）する。
【００２１】
画像信号処理部５は、入力セレクタ４から送信される画像を、画像投射部６が処理可能な信号形式に変換し、当該画像を、画像投射部６へ送信（出力）する。また、画像信号処理部５は、必要に応じて、各種マトリクス演算やガンマ補正等の画像信号処理も行う。
【００２２】
操作情報受信部７ａは、外部インターフェースを含む。当該外部インターフェースは、例えば、ＵＳＢインターフェース、ＰＳ／２インターフェース、ブルートース（Bluetooth（登録商標））インターフェースである。
【００２３】
操作部８ａは、操作情報受信部７ａの外部インターフェースに対応する、キーボード、マウス等のヒューマンインターフェースデバイス（ＨＩＤ）である。操作部８ａは、操作情報受信部７ａ（外部インターフェース）に接続される。
【００２４】
操作情報受信部７ａは、外部インターフェースより受信した操作部８ａからの操作情報を、アクセスデバイス部２ａ，２ｂのいずれかへ送信する。具体的には、操作情報受信部７ａは、当該操作部８ａを利用した文字入力、座標入力等から電気信号に変換した信号を、アクセスデバイス部２ａ，２ｂが処理可能な信号形式に変換し、変換した当該信号（操作情報）をアクセスデバイス部２ａまたは２ｂへ出力する。
【００２５】
また、操作情報受信部７ａは、入力セレクタ４より出力される後述の選択情報を参照することにより、現在選択されている入力信号（画像信号）を検出する。
【００２６】
以下においては、ユーザーによる操作部８ａに対する操作を、ユーザー操作Ｍともいう。操作部８ａは、ユーザー操作Ｍがあった場合、当該ユーザー操作Ｍを示す操作情報を、操作情報受信部７ａへ送信する。ユーザー操作Ｍは、例えば、文字を入力するための操作である。また、操作部８ａがマウスである場合、ユーザー操作Ｍは、例えば、マウスを移動させる操作である。この場合、操作情報は、マウスの位置（座標）を示す情報である。
【００２７】
次に、ネットワーク接続部１およびアクセスデバイス部２ａの構成の詳細について説明する。図２は、ネットワーク接続部１およびアクセスデバイス部２ａの構成を示すブロック図である。なお、アクセスデバイス部２ｂも、図２に示すアクセスデバイス部２ａと同じ構成を有する。
【００２８】
図２に示すように、ネットワーク接続部１は、ＰＨＹユニット１１を含むＬＡＮ接続部である。ネットワーク接続部１は、ＯＳＩ参照モデルの第１層の物理層で規定されている処理を行う。
【００２９】
ネットワーク接続部１で処理された信号（通信パケット）は、アクセスデバイス部２ａ又はアクセスデバイス部２ｂへ送信される。ネットワーク接続部１と、アクセスデバイス部２ａ，２ｂとの接続は、例えば、ＭＩＩ（Media Independent Interface）に従った接続である。
【００３０】
アクセスデバイス部２ａは、ＭＡＣ処理回路１２と、ＣＰＵ１３と、グラフィック生成回路１４と、フレームバッファメモリ１５と、操作デバイスＩ／Ｆ回路１６とを含む。
【００３１】
ネットワーク接続部１からの信号は、ＭＡＣ処理回路１２が受信する。ＭＡＣ処理回路１２は、受信した信号をフレームに分解した後、パケット、セグメントに復調し、データを生成する。また、ＭＡＣ処理回路１２は、双方向の処理を行う為に、データからセグメント、パケット、フレームを生成し、ネットワーク接続部１を介して、ネットワーク９へデータを送出することも可能である。
【００３２】
ＭＡＣ処理回路１２で生成されたデータは、ＣＰＵ１３が受信する。ＣＰＵ１３は、データに対し、通信処理、画像処理、ユーザーインターフェース処理などの各種処理を行う。そして、ＣＰＵ１３は、画像処理により生成された表示画像を、グラフィック生成回路１４へ送信する。グラフィック生成回路１４は、表示画像を用いて、表示用の画像信号を生成する。
【００３３】
グラフィック生成回路１４で生成された画像信号は、フレームバッファメモリ１５に一時的に記憶（バッファ）される。フレームバッファメモリ１５に記憶された画像信号は、アクセスデバイス部２ａの出力として、投射型映像表示装置１００の入力セレクタ４へ送信（送出）される。
【００３４】
操作デバイスＩ／Ｆ回路１６は、受信した操作情報を、ＣＰＵ１３へ送信する。
【００３５】
再び、図１を参照して、入力セレクタ４は、ＤＶＤプレーヤー１０１、ＰＣ１０２およびアクセスデバイス部２ａ，２ｂから受信する画像信号（画像）のうち、切り替え指示に従った画像信号を選択し、選択した画像信号を画像信号処理部５へ送信する。
【００３６】
当該切り替え指示は、例えば、投射型映像表示装置１００に設けられる図示しない入力選択ボタンのユーザーの操作による指示である。また、当該切り替え指示は、例えば、ユーザーによる図示しないリモコンの操作により、図示しない受光部が受信する信号（指示）である。また、入力セレクタ４は、画像信号を選択する毎に、選択している当該画像信号（入力信号）を示す選択情報を、操作情報受信部７ａへ送信する。
【００３７】
画像信号処理部５は、入力セレクタ４から受信する画像信号を、画像投射部６の入力フォーマットに合わせた信号に変換を行う。また、画像信号処理部５は、当該画像信号に対し、必要に応じて、画像投射部６の画像投影特性（投影の特性）にあわせたガンマ補正や画質調整等の画像信号処理を行う。画像信号処理部５は、変換した画像信号を、画像投射部６へ送信する。
【００３８】
画像投射部６は、受信した画像信号に基づく画像（映像）を、図示しないスクリーン等に投射（投影）する。画像投射部６は、例えば、表示デバイス、ドライバーＩＣ、ランプ光源および投影レンズで構成される。表示デバイスは、例えば、ＤＭＤ（Digital Micromirror Device）である。ドライバーＩＣは、表示デバイスを駆動するためのＩＣである。
【００３９】
操作情報受信部７ａは、前述したように、操作部８ａからの操作情報を、アクセスデバイス部２ａ，２ｂのいずれかへ送信する。また、操作情報受信部７ａは、入力セレクタ４から受信する選択情報を参照することにより、入力セレクタ４が現在選択している画像信号（入力信号）を検出する。
【００４０】
操作情報受信部７ａは、検出した画像信号が、アクセスデバイス部２ａが出力する信号である場合、受信した操作情報をアクセスデバイス部２ａへ送信する。アクセスデバイス部２ａは、操作情報受信部７ａから受信した操作情報を、ＭＡＣ処理回路１２でパケットデータに変換し、変換したデータを、ネットワーク接続部１を利用して、ネットワーク９を介しサーバー１０へ送信する。
【００４１】
次に、投射型映像表示装置１００の動作の詳細について説明する。まず、一例として、投射型映像表示装置１００において、入力セレクタ４が、アクセスデバイス部２ａ（アクセスデバイス部２ａからの画像信号）を選択したとする。また、操作部８ａは、一例として、マウスおよびキーボードから構成されるとする。
【００４２】
この場合、アクセスデバイス部２ａは、投射するための初期画像として、ログイン画像を、入力セレクタ４、画像信号処理部５および画像投射部６を利用して、図示しないスクリーンに投射（表示）する。当該ログイン画像は、例えば、ネットワーク９においてアクセス可能なサーバー名（サーバー１０の名称）および入力欄、ログインボタン等を示す。当該入力欄は、ユーザー操作Ｍにより、サーバー１０にログインするためのユーザーＩＤおよびパスワードを入力するための欄である。ユーザーＩＤは、ユーザーに対応付けられた識別情報である。ログインボタンは、押下するための処理が行われることにより、ログイン処理を行うためのボタンである。
【００４３】
また、アクセスデバイス部２ａは、マウス（操作部８ａ）の操作に合わせて、初期画像上にポインタを表示する。
【００４４】
ここで、ユーザーが、例えば、マウスを利用して、ログイン画像の入力欄にポインタを合わせて、キーボードを利用して、ユーザーＩＤおよびパスワードを入力する操作行ったとする。また、ユーザーは、ログインボタンを押下するためのユーザー操作Ｍを行ったとする。
【００４５】
この場合、アクセスデバイス部２ａは、ネットワーク接続部１およびネットワーク９を介し、サーバー１０にユーザーＩＤおよびパスワードを送信する。すなわち、アクセスデバイス部２ａは、サーバー１０にログイン要求を送信することにより、サーバー１０にログインする。以下においては、ログインされたサーバー１０が有するＯＳが提供する画像を、サーバー画像またはサーバー出力画像ともいう。サーバー画像は、例えば、アプリケーション等を操作するための画像である。当該アプリケーションは、例えば、ワープロソフト、表計算ソフト等である。
【００４６】
サーバー１０は、ログイン要求に応答し、受信したユーザーＩＤに対応するサーバー画像（パケット化された画像）を、ネットワーク９およびネットワーク接続部１を介して、投射型映像表示装置１００へ送信する。
【００４７】
アクセスデバイス部２ａは、パケット化されたサーバー画像を復号することにより、当該サーバー画像を取得する。そして、アクセスデバイス部２ａは、入力セレクタ４、画像信号処理部５および画像投射部６を利用して、図１に示すように、サーバー画像Ｐ１を、デスクトップ画像としてスクリーンに投射（表示）する。当該サーバー画像Ｐ１は、アクセスデバイス部２ａがサーバー１０にログインすることにより得られるサーバー画像である。
【００４８】
サーバー１０から送信されるサーバー画像Ｐ１が表示された後、操作部８ａの操作に応じて操作部８ａが送信する操作情報（操作信号）は、サーバー１０に送信される。
【００４９】
サーバー１０は、受信した操作情報（投射型映像表示装置１００による操作）に従って、ユーザーに対応するユーザーＩＤ（識別情報）に対応するサーバー画像の更新および当該操作情報が示す操作の実行等を行う。サーバー１０は、サーバー画像を更新する毎に、更新したサーバー画像を、投射型映像表示装置１００へ送信する。
【００５０】
投射型映像表示装置１００は、更新されたサーバー画像を受信し、当該更新されたサーバー画像を、入力セレクタ４、画像信号処理部５および画像投射部６を利用して、常時又は間欠的に、スクリーンに投射（表示）する。以上により、ユーザーは投射型映像表示装置１００からサーバー１０を操作する事ができる。
【００５１】
また、投射型映像表示装置１００は、アクセスデバイス部２ａに加え、アクセスデバイス部２ｂを備える。そのため、アクセスデバイス部２ｂが、上記のアクセスデバイス部２ａと同様に、サーバー１０にログインするための処理を行うことにより、同時に２つのユーザーＩＤにより、サーバー１０にログインを行うことができる。
【００５２】
この場合、アクセスデバイス部２ａ，２ｂの各々が、独立して、異なるユーザーＩＤを利用して、サーバー１０にログインを行う。すなわち、アクセスデバイス部２ａ，２ｂの各々は、異なる各ユーザーに対応する識別情報（ユーザーＩＤ）により独立してサーバー１０にアクセスを行う。つまり、アクセスデバイス部２ａ，２ｂの各々が、独立して、サーバー１０にアクセスを行う。
【００５３】
以下においては、アクセスデバイス部２ｂがサーバー１０にログインすることにより得られるサーバー画像を、サーバー画像Ｐ２とも表記する。
【００５４】
ここで、アクセスデバイス部２ａ，２ｂが同時にサーバー１０にログインしているとする。また、サーバー画像Ｐ１を選択するための前述の切り替え指示があったとする。
【００５５】
この場合、アクセスデバイス部２ａは、サーバー画像Ｐ１を入力セレクタ４へ送信し、アクセスデバイス部２ｂは、サーバー画像Ｐ２を入力セレクタ４へ送信する。また、入力セレクタ４は、切り替え指示に従ったサーバー画像Ｐ１を選択し、選択した当該サーバー画像Ｐ１を、画像信号処理部５および画像投射部６を利用して、スクリーンに投射（表示）する。この場合、操作情報受信部７ａは、入力セレクタ４が選択している画像がサーバー画像Ｐ１であることを検出する。
【００５６】
すなわち、投射型映像表示装置１００は、サーバー１０に１つ以上のアクセスを行うことにより得られるサーバー画像を選択し、選択した該サーバー画像を表示（投射）する。つまり、投射型映像表示装置１００は、サーバー１０に１つ以上のアクセスを行うことにより得られるサーバー画像を選択し、選択した該サーバー画像を表示（投射）することが可能である。すなわち、投射型映像表示装置１００は、サーバー画像を選択的に表示する。
【００５７】
そして、操作情報受信部７ａは、操作部８ａに対するユーザー操作Ｍがあった場合、サーバー画像Ｐ１を出力しているアクセスデバイス部２ａへ、操作部８ａから受信した当該ユーザー操作Ｍに基づく操作情報を、アクセスデバイス部２ａへ送信する。アクセスデバイス部２ａは、前述したように、操作情報を、サーバー１０へ送信する。これにより、サーバー画像Ｐ１の操作、すなわち、サーバー画像Ｐ１が示すアプリケーションの操作を行うことができる。言い換えれば、操作部８ａは、選択したサーバー画像を操作する。
【００５８】
アクセスデバイス部２ａ，２ｂにそれぞれ対応するサーバー画像Ｐ１，Ｐ２の切り換え（入力切り換え）に同期して、ユーザーは、操作部８ａを利用して、投射されているアクセスデバイス部２ａ，２ｂのいずれかに対応するサーバー画像を操作する事ができる。
【００５９】
なお、投射型映像表示装置１００が備えるアクセスデバイス部の数は、２つに限定されず、３つ以上であってもよい。投射型映像表示装置１００が３つ以上のアクセスデバイス部を備える構成においても、切り替え指示（入力切り換え）に応じて、操作部８ａは、投射されたアクセスデバイス部に対応するサーバー画像の操作を行う事ができる。
【００６０】
次に、投射型映像表示装置１００が行う処理（以下、画像制御処理ともいう）の流れについて説明する。図３は、画像制御処理のフローチャートである。
【００６１】
ステップＳ１１０では、サーバー接続処理が行われる。サーバー接続処理では、ネットワーク接続部１が、前述したように、ネットワーク９を介してサーバー１０と接続する。
【００６２】
ステップＳ１２０では、アクセス処理が行われる。アクセス処理では、前述したように、アクセスデバイス部２ａ，２ｂの各々が、独立して、異なるユーザーＩＤを利用して、サーバー１０にログインを行う。すなわち、アクセス処理では、アクセスデバイス部２ａ，２ｂの各々が、サーバー１０にアクセスを行う。
【００６３】
ステップＳ１３０では、画像選択処理が行われる。画像選択処理では、投射型映像表示装置１００（入力セレクタ４）が、ログイン（アクセス）されたサーバー１０から送信されるサーバー画像を選択する。すなわち、画像選択処理では、投射型映像表示装置１００がサーバー１０に１つ以上のアクセスを行うことにより得られるサーバー画像を選択する。
【００６４】
ステップＳ１４０では、画像表示処理が行われる。画像表示処理では、前述したように、画像投射部６が、選択された該サーバー画像をスクリーンに表示（投射）する。
【００６５】
サーバー画像が表示されているときに、前述したように、操作部８ａを利用したユーザー操作Ｍがあったとする。この場合、ステップＳ１５０において、操作処理が行われる。操作処理では、操作部８ａが、選択されたサーバー画像において、ユーザー操作Ｍにしたがった操作を行う。すなわち、操作処理では、操作部８ａが、選択したサーバー画像を操作する。
【００６６】
以上のように、本実施の形態では、投射型映像表示装置１００は、サーバー１０に１つ以上のアクセスを行うことにより得られるサーバー画像を選択し、選択した該サーバー画像を表示する。操作部８ａは、選択した前記サーバー画像を操作する。これにより、インタラクティブ性の高い投射型映像表示装置を提供することができる。
【００６７】
また、本実施の形態では、本実施の形態に係る投射型映像表示装置１００は、アクセスデバイス部を複数備える。そのため、１台の投射型映像表示装置１００が１つのネットワーク接続を行うだけで複数のサーバー接続を行う事ができる。
【００６８】
また、本実施の形態では、入力切り換え（サーバー画像の切り換え）に同期して、アクセスデバイス部の選択を行うのと同時に、操作部アクセスデバイス部の接続を切り替える。そのため、１台の操作部で複数のサーバー画像を操作し、当該サーバー画像を選択して表示することができるという効果がある。
【００６９】
また、本実施の形態に係る投射型映像表示装置１００が、サーバーに対し、複数の同時アクセスを行うことができる。すなわち、投射型映像表示装置１００が、サーバー１０へ複数のログインを行うことができる。これにより、投射型映像表示装置１００は、複数のクライアントＰＣの様に動作することができる。また、投射型映像表示装置１００は、サーバー画像を表示（投射）できる。そのため、複数のユーザーが、クライアントＰＣを使用している状況において、操作や補助を受ける様子を多数の者で視聴できる。
【００７０】
また、本実施の形態では、投射型映像表示装置１００がアクセスデバイス部を複数備える。また、投射型映像表示装置１００には、キーボード等の操作部８ａが接続される。そのため、投射型映像表示装置１００に、さらに、他のアクセスデバイスを接続することなく、投射型映像表示装置１００がクライアントＰＣとして機能することができるという効果がある。
【００７１】
したがって、これまで複数のアクセスデバイスを設置する際にアクセスデバイス毎にネットワークの敷設が必要であったのが、本実施の形態の構成では、１つのネットワーク接続のみで複数のクライアントをサーバー１０に接続することができる。また、投射型映像表示装置１００がサーバー１０にログインした際に得られるサーバー画像を投射（表示）する。その為、多くの人が、当該サーバー画像を視聴することができるという効果がある。
【００７２】
なお、前述したように、従来技術Ａにおいては、クライアント機能を備えたプロジェクター（投射型映像表示装置）は、一人のユーザーの操作によりサーバーにログインし、サーバーが提供する画像（サーバー画像）を表示する。そのため、例えば、投射型映像表示装置が教室などに設置されていた場合、ユーザーからのプレゼンテーションは可能であるが、視聴している者が、サーバー画像に対し操作ができない。すなわち、従来技術Ａでは、操作の双方向性はなく、能動的にサーバーを動作させる事はできない。
【００７３】
しかしながら、本実施の形態によれば、サーバー１０から送信されるサーバー画像を選択し、選択したサーバー画像を操作することができる。すなわち、能動的にサーバーを動作させる事ができる。
【００７４】
また、一般的にサーバーを利用するためには、サーバーに接続するためのクライアントＰＣ若しくはアクセスデバイスが必要である。また、アクセスデバイスは、利用する人（ユーザ−）の数だけ必要となる。
【００７５】
しかしながら、本実施の形態によれば、前述したように、１つのネットワーク接続のみで複数のクライアントをサーバー１０に接続することができる。そのため、アクセスデバイスを、ユーザの数だけ用意する必要はない。
【００７６】
＜実施の形態２＞
図４は、本発明の実施の形態２に係る投射型映像表示装置１００Ａの概略構成を示すブロック図である。図４に示すように、投射型映像表示装置１００Ａは、図１の投射型映像表示装置１００と比較して、入力セレクタ４の代わりに画像合成部１７を備える点と、操作情報受信部７ａの代わりに操作情報受信部７ｂを備える点と、操作部８ｂをさらに備える点とが異なる。投射型映像表示装置１００Ａのそれ以外の構成は、投射型映像表示装置１００と同様なので詳細な説明は繰り返さない。
【００７７】
画像合成部１７は、単一のアクセスデバイス部が出力する画像、または、複数のアクセスデバイス部の各々が出力する画像を合成した画像を出力する。具体的には、画像合成部１７は、アクセスデバイス部２ａ，２ｂがサーバー１０にログインしている場合、アクセスデバイス部２ａからサーバー画像Ｐ１を受信し、アクセスデバイス部２ｂからサーバー画像Ｐ２を受信する。そして、画像合成部１７は、サーバー画像Ｐ１，Ｐ２を１つの画像に合成する。
【００７８】
具体的には、画像合成部１７は、サーバー画像Ｐ１，Ｐ２を示す合成画像Ｐ１０を生成する。そして、画像合成部１７は、合成画像Ｐ１０を、画像信号処理部５へ送信する。そして、画像投射部６は、サーバー画像Ｐ１，Ｐ２を示す合成画像Ｐ１０をスクリーンに投射（表示）する。
【００７９】
なお、画像合成部１７の配置位置は、図４に示す位置に限定されない。画像合成部１７は、例えば、図１の投射型映像表示装置１００の構成において、アクセスデバイス部２ａ，２ｂと、入力セレクタ４との間に配置されてもよい。
【００８０】
操作情報受信部７ｂは、操作情報受信部７ａと同様な機能を有する。すなわち、操作情報受信部７ｂは、操作情報に基づいて、操作情報受信部７ａと同様に動作する。また、操作情報受信部７ｂには、操作部８ａ，８ｂが接続される。なお、投射型映像表示装置１００Ａには、アクセスデバイス部２ａ，２ｂが設けられる。すなわち、投射型映像表示装置１００Ａには、アクセスデバイス部が複数設けられる。また、投射型映像表示装置１００Ａには、アクセスデバイス部の数と同じ数の操作部が設けられる。操作部８ｂは、操作部８ａと同じインターフェースである。
【００８１】
操作情報受信部７ｂは、操作部８ａ，８ｂの各々の入力機器を認識し、操作情報を機器に応じたアクセスデバイス部２ａ，２ｂのいずれかへ送信する。
【００８２】
具体的には、操作情報受信部７ｂは、操作部８ａ，８ｂのいずれかから操作情報を受信し、当該操作情報を、アクセスデバイス部２ａ，２ｂのいずれかへ送信する。
【００８３】
次に、投射型映像表示装置１００Ａの動作について説明する。まず、操作情報受信部７ｂは、無線通信を行う機能を有する。本実施の形態において、操作部８ａ，８ｂの各々は、操作情報受信部７ｂと無線通信を行う。操作部８ａ，８ｂの各々は、異なる通信識別情報を有する。当該通信識別情報は、例えば、個別の識別番号やシリアル番号等である。操作情報受信部７ｂは、無線通信において、当該通信識別情報を用いて、操作部８ａ，８ｂの各々を認識する。
【００８４】
操作情報受信部７ｂは、操作部８ａ，８ｂと、アクセスデバイス部２ａ，２ｂとの関連付けを行う。
【００８５】
ここで、操作情報受信部７ｂは、一例として、操作部８ａとアクセスデバイス部２ａとの関連付けを行い、かつ、操作部８ｂとアクセスデバイス部２ｂとの関連付けを行ったとする。すなわち、アクセスデバイス部２ａ，２ｂは、それぞれ、操作部８ａ，８ｂに関連付けられる。この場合、操作情報受信部７ｂは、操作部毎に関連づけられた（対応する）アクセスデバイス部に操作情報を送信する。これにより、操作部８ａ，８ｂの各々から、関連付けられたアクセスデバイス部に対し独立して操作を行う事ができる。
【００８６】
ここで、実施の形態１で説明したのと同様、操作部８ａ，８ｂは、それぞれ、サーバー画像Ｐ１，Ｐ２を受信したとする。また、操作部８ａ，８ｂの各々が受信したサーバー画像に対するユーザー操作Ｍが同時に行われたとする。
【００８７】
この場合、操作部８ａ，８ｂの各々は、同時に、当該操作部に関連付けられたアクセスデバイス部がサーバー１０にアクセスを行うことにより得られるサーバー画像を操作する。
【００８８】
また、前述したように、画像合成部１７は、アクセスデバイス部２ａ，２ｂがサーバー１０にログインしている場合、アクセスデバイス部２ａからサーバー画像Ｐ１を受信し、アクセスデバイス部２ｂからサーバー画像Ｐ２を受信する。そして、画像合成部１７は、サーバー画像Ｐ１，Ｐ２を１つの画像に合成する。
【００８９】
具体的には、画像合成部１７は、サーバー画像Ｐ１，Ｐ２を示す合成画像Ｐ１０を生成する。そして、画像合成部１７は、合成画像Ｐ１０を、画像信号処理部５へ送信する。そして、画像投射部６は、サーバー画像Ｐ１，Ｐ２を示す合成画像Ｐ１０をスクリーンに投射（表示）する。すなわち、画像投射部６は、サーバー画像Ｐ１，Ｐ２を分割表示する。言い換えれば、投射型映像表示装置１００Ａは、アクセスデバイス部２ａ，２ｂがサーバー１０にアクセスを行うことにより得られる複数のサーバー画像（サーバー画像Ｐ１，Ｐ２）を同時に表示する処理を行う。
【００９０】
なお、投射型映像表示装置１００Ａが備えるアクセスデバイス部の数は、２つに限定されず、３つ以上であってもよい。投射型映像表示装置１００Ａが３つ以上のアクセスデバイス部を備える場合、操作情報受信部７ｂを、アクセスデバイス部の数と同じ数だけ設ける。すなわち、サーバー１０への接続数を増やし、画像合成部１７が受信する画像の数と、合成する画像の数を増やす。
【００９１】
以上の様に、投射型映像表示装置１００Ａが投射する画像を分割表示し、投射型映像表示装置１００Ａに複数の操作部が接続される構成とする。これにより、１台の投射型映像表示装置１００Ａが１つのネットワーク接続を行うだけで、複数のユーザ（使用者）が同時にサーバー１０にログインし、投射型映像表示装置１００ＡをクライアントＰＣとして使用できる効果がある。
【００９２】
また、本実施の形態では、画像合成部１７の処理により、複数のアクセスデバイス部の各々が出力する画像を１つの画像に分割して表示する。また、アクセスデバイス部毎に、操作部を備える。したがって、１台の投射型映像表示装置１００Ａが、１つのネットワーク接続を行うだけで、複数のユーザーが、投射型映像表示装置１００Ａを利用して、サーバー１０にログインし、各ユーザーが、サーバー画像を独立して同時に使用できるという効果がある。
【００９３】
＜実施の形態３＞
図５は、本発明の実施の形態３に係る投射型映像表示装置１００Ｂの概略構成を示すブロック図である。なお、図５では、説明のために、投射型映像表示装置１００Ｂに含まれないモニター２１ａ，２１ｂが示される。
【００９４】
モニター２１ａ，２１ｂの各々は、画像を表示する機能を有する表示装置である。なお、操作部８ａは、モニター２１ａに対応づけて設置されている。また、操作部８ｂは、モニター２１ｂに対応づけて設置されている。
【００９５】
図５に示すように、投射型映像表示装置１００Ｂは、図４の投射型映像表示装置１００Ａと比較して、さらに、画像出力部２０を備える点が異なる。投射型映像表示装置１００Ｂのそれ以外の構成は、投射型映像表示装置１００Ａと同様なので詳細な説明は繰り返さない。
【００９６】
画像出力部２０は、ＨＤＭＩインターフェースである。なお、画像出力部２０は、ＨＤＭＩインターフェースに限定されない。画像出力部２０は、例えば、ＲＧＢインターフェース、ＵＳＢインターフェース、無線により画像を出力可能な無線インターフェース（無線ＬＡＮ）等であってもよい。
【００９７】
画像出力部２０は、当該画像出力部２０のインターフェースと同じインターフェースを有するモニター２１ａ，２１ｂと接続される。
【００９８】
画像出力部２０は、アクセスデバイス部２ａが出力するサーバー画像Ｐ１と、アクセスデバイス部２ｂが出力するサーバー画像Ｐ２とを、当該画像出力部２０のインターフェースに従った信号に変換する。そして、画像出力部２０は、変換した信号を出力する。具体的には、画像出力部２０は、サーバー画像Ｐ１をモニター２１ａへ送信し、サーバー画像Ｐ２をモニター２１ｂへ送信する。これにより、モニター２１ａは、サーバー画像Ｐ１を表示する。モニター２１ｂは、サーバー画像Ｐ２を表示する。
【００９９】
画像出力部２０は、アクセスデバイス部２ａ，２ｂの各々が行うサーバー１０へのアクセスにより得られるサーバー画像を独立して出力する。具体的には、画像出力部２０は、アクセスデバイス部２ａ，２ｂがそれぞれ出力するサーバー画像Ｐ１，Ｐ２を、投射型映像表示装置１００Ｂの外部へ出力する。また、当該サーバー画像Ｐ１，Ｐ２の出力と同時に、画像投射部６は、実施の形態２と同様、サーバー画像Ｐ１，Ｐ２を示す合成画像Ｐ１０をスクリーンに投射（表示）する。すなわち、画像投射部６は、サーバー画像Ｐ１，Ｐ２を分割表示する。
【０１００】
次に、投射型映像表示装置１００Ｂの動作について説明する。ここで、操作情報受信部７ｂは、実施の形態２と同様、操作部８ａとアクセスデバイス部２ａとの関連付けを行い、かつ、操作部８ｂとアクセスデバイス部２ｂとの関連付けを行ったとする。
【０１０１】
この場合、ユーザーは、モニター２１ａが表示する前述のログイン画像を参照しながら、操作部８ａを用いて、サーバー１０にログインするためのユーザー操作Ｍを行う。これにより、モニター２１ａは、サーバー画像Ｐ１を表示する。すなわち、ユーザーは、投射型映像表示装置１００ＢをクライアントＰＣとして使用できる。また、ユーザーは、モニター２１ｂが表示する前述のログイン画像を参照しながら、操作部８ｂを用いて、サーバー１０にログインするためのユーザー操作Ｍを行う。これにより、モニター２１ｂは、サーバー画像Ｐ２を表示する。すなわち、ユーザーは、投射型映像表示装置１００ＢをクライアントＰＣとして使用できる。
【０１０２】
なお、前述したように、アクセスデバイス部２ａ，２ｂの各々は、独立して、かつ、同時に、動作することができる。そのため、本実施の形態によれば、２人のユーザーが、同時に、投射型映像表示装置１００ＢをクライアントＰＣとして使用できる。
【０１０３】
なお、当該サーバー画像の出力と同時に、投射型映像表示装置１００Ｂの画像投射部６は、実施の形態２と同様、サーバー画像Ｐ１，Ｐ２を示す合成画像Ｐ１０をスクリーンに投射（表示）する。すなわち、画像投射部６は、サーバー画像Ｐ１，Ｐ２を分割表示する。これにより、クライアントＰＣとして機能する投射型映像表示装置１００Ｂを複数のユーザーが操作することにより得られる複数のサーバー画像を、複数の人で見る事が可能である。
【０１０４】
なお、投射型映像表示装置１００Ｂは、複数のサーバー画像を同時に表示する処理、または、複数のサーバー画像のいずれかを表示する処理を行う。具体的には、投射型映像表示装置１００Ｂは、外部から受信する表示切り替え指示に従って、サーバー画像Ｐ１，Ｐ２を同時に表示（投射）する処理、または、サーバー画像Ｐ１，Ｐ２のいずれかを表示（投射）する処理を行う。当該表示切り替え指示は、例えば、投射型映像表示装置１００Ｂに設けられる図示しない表示切替ボタンのユーザーの操作による指示である。また、当該表示切り替え指示は、例えば、ユーザーによる図示しないリモコンの操作により、図示しない受光部が受信する信号（指示）である。
【０１０５】
以上により、ユーザーは、複数のサーバー画像を同時に表示（分割表示）する処理と、任意のアクセスデバイス部に対応するサーバー画像を単独で表示する処理とを選択する事が可能である。
【０１０６】
以上説明したように、本実施の形態に係る投射型映像表示装置１００Ｂは、アクセスデバイス部が出力する画像を外部に出力できる。そのため、投射型映像表示装置１００Ｂにモニターを接続することにより、ユーザーは、クライアントＰＣまたはアクセスデバイス等を利用して、投射型映像表示装置１００Ｂを介して、サーバー１０にアクセスするのと同じ使用環境が実現できる。
【０１０７】
なお、本実施の形態の変形例として、投射型映像表示装置１００Ｂは、さらに、無線通信部２３（図５には図示せず）を備える構成としてもよい。以下においては、無線通信部２３をさらに備える投射型映像表示装置１００Ｂを、投射型映像表示装置１０１Ｂともいう。
【０１０８】
この場合、図６に示すように、投射型映像表示装置１０１Ｂにおける操作情報受信部７ｂおよび画像出力部２０を、無線通信部２３と接続する。これにより、投射型映像表示装置１０１Ｂにおける画像信号および操作情報の送受信（通信）を無線化する。
【０１０９】
ここで、タブレット端末２４ａ，２４ｂの各々は、無線通信機能と、画像を表示する機能と、ユーザーの操作（入力操作）を受け付ける機能とを有する。また、無線通信部２３は、タブレット端末２４ａ，２４ｂの各々と無線通信を行う機能を有する。
【０１１０】
この場合、ユーザーは、タブレット端末２４ａ，２４ｂの各々を操作することにより、投射型映像表示装置１０１Ｂを、クライアントＰＣとして利用することが可能である。すなわち、ユーザーは、画像表示、入力操作等が可能である１台のタブレット端末でクライアントＰＣ機能を利用する事が可能である。
【０１１１】
図７は、本発明の実施の形態３の変形例に係る投射型映像表示装置１０１Ｂの主要構成のみを示すブロック図である。すなわち、図７は、投射型映像表示装置１０１Ｂの構成を簡略化したブロック図である。例えば、図７では、投射型映像表示装置１０１Ｂが備えるアクセスデバイス部２ｂを示していない。
【０１１２】
投射型映像表示装置１０１Ｂは、投射型映像表示装置１００Ｂと比較して、さらに、無線通信部２３を備える点と、操作部８ａ，８ｂを備えない点とが異なる。投射型映像表示装置１０１Ｂのそれ以外の構成は、投射型映像表示装置１００Ｂと同ようなので詳細な説明は繰り返さない。
【０１１３】
投射型映像表示装置１０１Ｂは、一例として、タブレット端末２４ａと無線通信を行う。すなわち、タブレット端末２４ａは、無線通信部２３と無線通信を行う。当該無線通信は、例えば、ＩＥＥＥ８０２．１１に定義される無線ＬＡＮのプロトコルを用いた通信である。
【０１１４】
アクセスデバイス部２ａは、サーバー１０へログインするためのログイン画像を、画像出力部２０および無線通信部２３を介して、タブレット端末２４ａへ送信する。
【０１１５】
タブレット端末２４ａは、受信したログイン画像を表示する。ユーザーは、タブレット端末２４ａに対し、ログインＩＤおよびパスワードを入力するための操作を行う。タブレット端末２４ａは、当該ログインＩＤおよびパスワードを、無線通信部２３へ送信する。
【０１１６】
無線通信部２３は、受信したログインＩＤおよびパスワードを、操作情報受信部７ｂを介して、アクセスデバイス部２ａへ送信する。アクセスデバイス部２ａは、ログインＩＤおよびパスワードを、ネットワーク接続部１およびネットワーク９を介して、サーバー１０へ送信する。これにより、アクセスデバイス部２ａ（タブレット端末２４ａを使用するユーザー）は、サーバー１０にログインする。
【０１１７】
サーバー１０は、アクセスデバイス部２ａ（タブレット端末２４ａを使用するユーザー）がログインすると、前述のサーバー画像Ｐ１を、ネットワーク９を介して、投射型映像表示装置１０１Ｂのネットワーク接続部１へ送信する。
【０１１８】
ネットワーク接続部１は、サーバー画像Ｐ１を、アクセスデバイス部２ａへ送信する。アクセスデバイス部２ａは、サーバー画像Ｐ１を、画像出力部２０および無線通信部２３を介して、タブレット端末２４ａへ送信する。また、アクセスデバイス部２ａは、サーバー画像Ｐ１がタブレット端末２４ａへ送信されるのと同時に、当該サーバー画像Ｐ１を画像合成部１７へ送信する。
【０１１９】
画像合成部１７は、サーバー画像Ｐ１を、画像信号処理部５を介して、画像投射部６へ送信する。画像投射部６は、サーバー画像Ｐ１をスクリーンに投射（表示）する。これにより、タブレット端末２４ａが表示している画像（サーバー画像Ｐ１）と同じ画像が、画像投射部６によりスクリーンに投射（表示）される。
【０１２０】
以上のように、本実施の形態では、アクセスデバイス部が出力する画像を、投射型映像表示装置の外部に出力する構成とする。これにより、投射型映像表示装置に、汎用的なモニターとキーボードなどの操作部を接続した状態において、複数のユーザーが、同時に、クライアントＰＣ機能を使用できる。また、同時に、その、クライアントＰＣの画像（サーバー画像）を、分割して投射（表示）または選択的に投射（表示）することができる。
【０１２１】
そのため、ユーザーが、投射型映像表示装置を介して、手元のモニターを参照しながら、操作部（例えば、キーボード）またはタブレット端末を利用して、操作するサーバー画像またはドキュメント等を表示した画像を、多数の人が視聴できる効果がある。
【０１２２】
また、本実施の形態では、投射型映像表示装置１０１Ｂを利用して、タブレット端末において、サーバー１０にログインしたり、サーバーを操作することができる。
【０１２３】
なお、従来では、一般的に、サーバーが接続されているネットワークに無線ＬＡＮのアクセスポイント等を設置する構成としていた。この構成において、無線端末でサーバーを利用する場合、無線端末は、クライアントサーバーのＯＳ、アプリケーション等に対応したものを準備しなければならないという問題があった。
【０１２４】
そこで、本実施の形態のタブレット端末２４ａ，２４ｂの各々は、無線通信部２３および操作部８ａ等の通信フォーマットに合わせたアプリケーションソフトウエアを実装する構成としてもよい。これにより、ＯＳやプラットフォームに依存せず、タブレット端末および投射型映像表示装置１０１Ｂを使用できるという効果がある。
【０１２５】
＜実施の形態４＞
図８は、本発明の実施の形態４に係る投射型映像表示装置１００Ｃの概略構成を示すブロック図である。図８に示すように、投射型映像表示装置１００Ｃは、図５の投射型映像表示装置１００Ｂと比較して、操作情報受信部７ｂの代わりに操作情報受信部７ｃを備える点と、操作部８ｃをさらに備える点とが異なる。投射型映像表示装置１００Ｃのそれ以外の構成は、投射型映像表示装置１００Ｂと同様なので詳細な説明は繰り返さない。
【０１２６】
操作情報受信部７ｃは、操作情報受信部７ｂと同じ機能を有する。また、操作情報受信部７ｃは、アクセスデバイス部２ａ，２ｂと、画像合成部１７と、画像信号処理部５に接続されている。
【０１２７】
また、操作情報受信部７ｃには、操作情報受信部７ｂと同様に、操作部８ａ，８ｂが接続されている。実施の形態２と同様、操作部８ａは、アクセスデバイス部２ａを操作する。操作部８ｂは、アクセスデバイス部２ｂを操作する。
【０１２８】
また、操作情報受信部７ｃには、さらに、操作部８ｃが接続されている。少し具体的には、操作情報受信部７ｃには、アクセスデバイス部２ａ，２ｂの各々の操作とは別に、投射型映像表示装置１００Ｃが投射（表示）する画像の操作を行うための操作部８ｃが接続されている。
【０１２９】
操作部８ｃは、投射型映像表示装置１００Ｃに関連付けられる。操作部８ｃは、操作部８ａと同じインターフェースである。操作部８ｃは、例えば、キーボードである。操作部８ｃには、アクティブデバイス選択キーが設けられる。当該アクティブデバイス選択キーは、ユーザーの操作により、後述する処理を実行させるための機能が割り当てられた、キーボードのファンクションキー（ボタン）である。
【０１３０】
操作部８ｃは、複数のサーバー画像の少なくとも１つを示す画像（以下、表示画像ともいう）を操作する別の操作部である。
【０１３１】
ここで、実施の形態２と同様な処理により、サーバー画像Ｐ１，Ｐ２を示す前述の合成画像Ｐ１０が投射（表示）されているとする。すなわち、サーバー画像Ｐ１，Ｐ２は、分割して投射されている。なお、当該合成画像Ｐ１０は、表示画像に相当する。すなわち、投射型映像表示装置１００Ｃは、合成画像Ｐ１０（表示画像）において複数のサーバー画像を同時に表示する処理を行う。また、アクティブデバイス選択キーは、押下される毎に、選択対象とするサーバー画像を切替える処理が割り当てられているとする。この状態において、ユーザーが、操作部８ｃのアクティブデバイス選択キーを押下したとする。
【０１３２】
この場合、操作部８ｃは、サーバー画像Ｐ１，Ｐ２のいずれかを選択する。すなわち、操作部８ｃは、選択したサーバー画像を出力しているアクセスデバイス部を選択する。ここで、操作部８ｃが、サーバー画像Ｐ２を出力しているアクセスデバイス部２ｂを選択したとする。この場合、操作部８ｃは、選択されたアクセスデバイス部２ｂを示す選択情報を、操作情報受信部７ｃを介して、画像合成部１７へ送信する。
【０１３３】
画像合成部１７は、選択情報を受信した場合、選択通知処理を行う。選択通知処理では、画像合成部１７が、合成画像Ｐ１０において、受信した選択情報が示すアクセスデバイス部が選択されたことを通知するための処理が行われる。
【０１３４】
ここで、画像合成部１７が受信する選択情報は、アクセスデバイス部２ｂを示すとする。この場合、選択通知処理では、アクセスデバイス部２ｂが出力するサーバー画像Ｐ２が選択されたことを通知するために、画像合成部１７が、以下の合成画像Ｐ１０Ａを生成する。合成画像Ｐ１０Ａは、サーバー画像Ｐ２の周囲に、フレームである枠Ｗ１を配置した画像である。
【０１３５】
そして、画像合成部１７は、生成した合成画像Ｐ１０Ａを、画像信号処理部５を介して、画像投射部６へ送信する。画像投射部６は、合成画像Ｐ１０Ａを、スクリーンに投射（表示）する。そして、選択通知処理は終了する。これにより、操作部８ｃは、合成画像Ｐ１０Ａ（表示画像）に表示されたサーバー画像Ｐ２を操作する。
【０１３６】
なお、枠Ｗ１（フレーム）を配置する処理は、上記処理に限定されず、例えば、画像信号処理部５が行ってもよいし、別のＯＳＤ（On Screen Display）部を追加して行っても良い。
【０１３７】
なお、選択されたアクセスデバイス部を通知するための手段は、枠（フレーム）に限定されず、例えば、マーキング等であってもよい。
【０１３８】
また、合成画像Ｐ１０Ａの表示と同時に、操作情報受信部７ｃは、ユーザーによる操作部８ｃの操作内容を示す操作情報を、アクセスデバイス部２ｂへ送信する。ここで、選択されたアクセスデバイス部２ｂに関連付けられる操作部８ｂに対するユーザーの操作があったとする。この場合、アクセスデバイス部２ｂは、ユーザーによる操作部８ｂ及び操作部８ｃの操作内容を示す操作情報を、サーバー１０へ送信する。すなわち、アクセスデバイス部２ｂは、操作部８ｂ及び操作部８ｃの操作情報を反映させる。
【０１３９】
したがって、ユーザーは、合成画像Ｐ１０Ａを参照することで、選択されているアクセスデバイス部を認識することができる。また、ユーザーは、操作部８ｂ及び操作部８ｃを用いることにより、合成画像Ｐ１０Ａが示すサーバー画像Ｐ２を操作することができる。
【０１４０】
なお、アクセスデバイス部２ｂは、操作部８ｂ及び操作部８ｃによる操作情報を、排他的にサーバー１０へ送信してもよい。また、アクセスデバイス部２ｂは、操作部８ｂの操作情報よりも、操作部８ｃの操作情報を優先して処理してもよい。また、アクセスデバイス部２ｂは、操作部８ｃが操作情報受信部７ｃに接続されている場合においてのみ、選択されたアクセスデバイス部に関連づけられる操作部の操作情報を受け付けなくてもよい。
【０１４１】
なお、操作部８ｃでアクセスデバイスの選択を行った際、画像投射部６は、画像の分割表示を解除し、選択されたアクセスデバイスの画像（例えば、サーバー画像Ｐ２）のみを投射（表示）してもよい。この場合、投射型映像表示装置１００Ｃは、表示画像において複数のサーバー画像のいずれかを表示する処理を行う。
【０１４２】
次に、操作部８ｃのアクティブデバイス選択キーを押下された場合、操作部８ｃが、サーバー画像Ｐ１を出力しているアクセスデバイス部２ａを選択した場合の処理について説明する。
【０１４３】
この場合、操作部８ｃは、選択されたアクセスデバイス部２ａを示す選択情報を、操作情報受信部７ｃを介して、画像合成部１７へ送信する。
【０１４４】
そして、選択通知処理において、アクセスデバイス部２ａが出力するサーバー画像Ｐ１が選択されたことを通知するために、サーバー画像Ｐ１の周囲に枠Ｗ１を配置した合成画像Ｐ１０Ｂを生成する。
【０１４５】
そして、画像合成部１７は、生成した合成画像Ｐ１０Ｂを、画像信号処理部５を介して、画像投射部６へ送信する。画像投射部６は、合成画像Ｐ１０Ｂを、スクリーンに投射（表示）する。そして、選択通知処理は終了する。これにより、操作部８ｃは、合成画像Ｐ１０Ｂ（表示画像）に表示されたサーバー画像Ｐ１を操作する。
【０１４６】
また、合成画像Ｐ１０Ｂの表示と同時に、操作情報受信部７ｃは、ユーザーによる操作部８ｃの操作内容を示す操作情報を、アクセスデバイス部２ａへ送信する。ここで、選択されたアクセスデバイス部２ａに関連付けられる操作部８ａに対するユーザーの操作があったとする。この場合、アクセスデバイス部２ａは、ユーザーによる操作部８ａ及び操作部８ｃの操作内容を示す操作情報を、サーバー１０へ送信する。すなわち、アクセスデバイス部２ａは、操作部８ａ及び操作部８ｃの操作情報を反映させる。
【０１４７】
したがって、ユーザーは、合成画像Ｐ１０Ｂを参照することで、選択されているアクセスデバイス部を認識することができる。また、ユーザーは、操作部８ａ及び操作部８ｃを用いることにより、合成画像Ｐ１０Ｂが示すサーバー画像Ｐ１を操作することができる。
【０１４８】
なお、アクセスデバイス部２ａは、操作部８ａ及び操作部８ｃによる操作情報を、排他的にサーバー１０へ送信してもよい。また、アクセスデバイス部２ａは、操作部８ａの操作情報より、操作部８ｃの操作情報を優先して処理してもよい。また、アクセスデバイス部２ａは、操作部８ｃが操作情報受信部７ｃに接続されている場合においてのみ、選択されたアクセスデバイス部に関連づけられる操作部の操作情報を受け付けなくてもよい。
【０１４９】
以上のように、本実施の形態では、図５の構成に対し、さらに操作部８ｃを設ける事により、投射型映像表示装置１００Ｃを介して、サーバー１０にアクセスしている、複数のユーザーが操作するアクセスデバイス部が出力する画像を操作することができる。例えば、複数のユーザーが操作するアクセスデバイス部が出力する画像を利用して、操作部８ｃの操作により、アクセスデバイス部が出力する画像の選択や切り替えを行うことができる。また、選択されたアクセスデバイス部の操作を行うことができる。
【０１５０】
そのため、例えば、生徒が、操作部８ａ，８ｂを用いてアクセスデバイス部２ａ，２ｂの操作を行い、先生が、操作部８ｃを用いてアクセスデバイス部の操作を行うとする。この場合、先生は、操作部８ｃを用いて、投射型映像表示装置１００Ｃが投射する、生徒が操作する画像を選択することできる。すなわち、先生は、投射型映像表示装置１００Ｃが設置された場所に居ながら、選択した、生徒が操作する画像を操作できる効果がある。
【０１５１】
また、本実施の形態に係る投射型映像表示装置１００Ｃは、ユーザー操作している複数のサーバー画像を同時に表示する（分割して表示する）処理、または、１つのサーバー画像を選択して表示する事ができる。
【０１５２】
また、本実施の形態に係る投射型映像表示装置１００Ｃは、投射している画像において操作可能な操作部を備える。そのため、操作部を操作するユーザーは、投射型映像表示装置１００Ｃを介して、サーバー１０にアクセスしているユーザーのサーバー画像を任意に選択して、サーバー画像を単独で表示する処理、または、複数のサーバー画像を同時に表示する処理（分割表示）を行うことができる。
【０１５３】
また、本実施の形態では、更に、サーバー１０にアクセスしている任意のユーザーのサーバー画像を選択し、選択されたサーバー画像の操作を行う事ができる。そのため、自分の操作部から特定のユーザーに対し、修正や指導を行うことができる。また、さらに、表示画像により、その様子をリアルタイムに表示することができるという効果がある。
【０１５４】
（その他の変形例）
以上、本発明に係る投射型映像表示装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、各実施の形態を自由に組み合わせたり、各実施の形態を適宜、変形、省略することが可能である。
【０１５５】
また、投射型映像表示装置は、図１，４，５，７，８に示される全ての構成要素を含まなくてもよい。すなわち、投射型映像表示装置１００，１００Ａ，１００Ｂ，１０１Ｂ，１００Ｃの各々は、本発明の効果を実現できる最小限の構成要素のみを含めばよい。
【０１５６】
また、本発明は、実施の形態１〜４に係る投射型映像表示装置が備える特徴的な構成部の動作をステップとする画像制御方法として実現してもよい。また、本発明は、そのような画像制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１５７】
上記実施の形態で用いた全ての数値は、本発明を具体的に説明するための一例の数値である。すなわち、本発明は、上記実施の形態で用いた各数値に制限されない。
【０１５８】
また、本発明に係る画像制御方法は、図３の処理の一部または全てに相当する。本発明に係る画像制御方法は、図３における、対応する全てのステップを必ずしも含む必要はない。すなわち、本発明に係る画像制御方法は、本発明の効果を実現できる最小限のステップのみを含めばよい。
【０１５９】
また、画像制御方法における各ステップの実行される順序は、本発明を具体的に説明するための一例であり、上記以外の順序であってもよい。また、画像制御方法におけるステップの一部と、他のステップとは、互いに独立して並列に実行されてもよい。
【０１６０】
なお、実施の形態１〜４に係る投射型映像表示装置の各構成要素の一部は典型的には集積回路であるＬＳＩ（Large Scale Integration）として実現されてもよい。例えば、投射型映像表示装置１００において、ネットワーク接続部１、アクセスデバイス部２ａ，２ｂ、入力セレクタ４、画像信号処理部５および操作情報受信部７ａは、集積回路として実現されてもよい。
【０１６１】
なお、本発明は、その発明の範囲内において、各実施の形態を自由に組み合わせたり、各実施の形態を適宜、変形、省略することが可能である。
【産業上の利用可能性】
【０１６２】
本発明は、アクセスデバイス部を具備した投射型映像表示装置とサーバーにより構成されるシステムとして、利用することができる。
【符号の説明】
【０１６３】
１  ネットワーク接続部、２ａ，２ｂ  アクセスデバイス部、４  入力セレクタ、５  画像信号処理部、６  画像投射部、７ａ，７ｂ，７ｃ  操作情報受信部、８ａ，８ｂ，８ｃ  操作部、１０  サーバー、１７  画像合成部、２０  画像出力部、２３  無線通信部、１００，１００Ａ，１００Ｂ，１００Ｃ，１０１Ｂ  投射型映像表示装置。
【図１】
2014048386.tif 000003
【図２】
2014048386.tif 000004
【図３】
2014048386.tif 000005
【図４】
2014048386.tif 000006
【図５】
2014048386.tif 000007
【図６】
2014048386.tif 000008
【図７】
2014048386.tif 000009
【図８】
2014048386.tif 000010